(57)【要約】【課題】撮影モード毎に適した撮影設定を簡単に行うことができるようにする。【解決手段】推奨撮影設定判断部２０７は、推奨撮影設定を生成するために十分な撮影履歴情報が存在するか否かを判断する。推奨撮影設定生成部２０８は、外部記憶装置またはサーバ装置から存在する撮影履歴情報を取得し、撮影者に対する推奨撮影設定を生成する。推奨撮影パラメタ設定部２０９は、推奨撮影設定部２０８が生成した情報を推奨撮影設定として設定する。【選択図】図２
2014052426.tif 000002
【特許請求の範囲】
【請求項１】
被写体を撮像する撮像手段と、
前記被写体の輝度を測定する輝度測定手段と、
前記撮像手段の撮影に関する複数の撮影モードから１つの撮影モードを選択する選択手段と、
撮影履歴情報、及び前記輝度測定手段によって測定された輝度に基づいて、前記選択手段によって選択された撮影モードに応じた推奨撮影パラメタを生成する生成手段と、
前記生成手段によって生成された推奨撮影パラメタを設定する設定手段と、
を備えることを特徴とする撮像装置。
【請求項２】
前記設定手段によって設定された推奨撮影パラメタと前記選択手段によって選択された撮影モードとを前記撮影履歴情報として記憶する記憶手段をさらに有することを特徴とする請求項１に記載の撮像装置。
【請求項３】
前記撮影履歴情報は、さらに前記撮像手段のレンズ情報を含むことを特徴とする請求項２に記載の撮像装置。
【請求項４】
前記レンズ情報は、レンズの識別子、Ｆ値、及び焦点距離の情報を含むことを特徴とする請求項３に記載の撮像装置。
【請求項５】
前記推奨撮影パラメタは、絞り、シャッタースピード、及び感度を含むことを特徴とする請求項１〜４の何れか１項に記載の撮像装置。
【請求項６】
前記複数の撮影モードは、シャッタースピードと絞りとを連動して変更するモードと、シャッタースピードの設定を優先するモードと、絞りの設定を優先するモードと、全てマニュアルで設定するモードとを含むことを特徴とする請求項１〜５の何れか１項に記載の撮像装置。
【請求項７】
前記撮影履歴情報に関する分布のモデルに基づいて前記推奨撮影パラメタを生成することができるか否かを判断する判断手段を備え、
前記生成手段は、前記判断手段により生成が可能であると判断した場合に前記推奨撮影パラメタを生成することを特徴とする請求項１〜６の何れか１項に記載の撮像装置。
【請求項８】
前記生成手段は、前記分布のモデルの中心を推奨撮影パラメタとして生成することを特徴とする請求項７に記載の撮像装置。
【請求項９】
前記生成手段によって生成された推奨撮影パラメタに設定するか否かを選択させる通知を行う通知手段を備えることを特徴とする請求項７又は８に記載の撮像装置。
【請求項１０】
前記撮像手段は、前記選択手段によって選択された撮影モードの既定する撮影と、前記推奨撮影パラメタによる撮影とを切り替えてブラケット撮影を行うことを特徴とする請求項１〜８の何れか１項に記載の撮像装置。
【請求項１１】
前記撮影履歴情報を外部装置から受信する受信手段を備え、
前記生成手段は、前記受信手段によって受信された撮影履歴情報、及び前記輝度測定手段によって測定された輝度に基づいて、前記選択手段によって選択された撮影モードに応じた推奨撮影パラメタを生成することを特徴とする請求項１に記載の撮像装置。
【請求項１２】
前記設定手段によって設定された推奨撮影パラメタと前記選択手段によって選択された撮影モードとを前記撮影履歴情報として前記外部装置に送信する送信手段を備えることを特徴とする請求項１１に記載の撮像装置。
【請求項１３】
前記撮影履歴情報は、絞り、シャッタースピード、感度、撮影モード、ユーザーＩＤ、カメラＩＤ、及び被写体のカテゴリを含むことを特徴とする請求項１１又は１２に記載の撮像装置。
【請求項１４】
被写体を撮像する撮像手段と、前記被写体の輝度を測定する輝度測定手段とを備えた撮像装置の制御方法であって、
前記撮像手段の撮影に関する複数の撮影モードから１つの撮影モードを選択する選択工程と、
撮影履歴情報、及び前記輝度測定手段によって測定された輝度に基づいて、前記選択工程において選択された撮影モードに応じた推奨撮影パラメタを生成する生成工程と、
前記生成工程において生成された推奨撮影パラメタを設定する設定工程と、
を備えることを特徴とする撮像装置の制御方法。
【請求項１５】
被写体を撮像する撮像手段と、前記被写体の輝度を測定する輝度測定手段とを備えた撮像装置を制御するためのプログラムであって、
前記撮像手段の撮影に関する複数の撮影モードから１つの撮影モードを選択する選択工程と、
撮影履歴情報、及び前記輝度測定手段によって測定された輝度に基づいて、前記選択工程において選択された撮影モードに応じた推奨撮影パラメタを生成する生成工程と、
前記生成工程において生成された推奨撮影パラメタを設定する設定工程と、
をコンピュータに実行させることを特徴とするプログラム。
【発明の詳細な説明】
【技術分野】
【０００１】
本発明は、特に、撮影パラメタを調整するために用いて好適な撮像装置、撮像装置の制御方法及びプログラムに関する。
【背景技術】
【０００２】
従来、撮影者が撮影モードを選択し、露出を固定してシャッタースピードと絞り値との組み合わせを変更すること（以下、プログラムシフト）が可能な撮像装置が知られている。例えば、特許文献１に記載のカメラは、プログラムシフトによって一定回数以上撮影レリーズを行うと、プログラムシフトの設定値を記憶する。その後、同様の撮影モードを用いる場合に、事前に記憶されたプログラムシフトの設定値を読み出すことによって、露出モード既定のプログラムを変更している。また、シャッタースピードを優先するＴｖ優先モードにて撮影した際に、最頻の絞り値を記憶し、撮影レンズ毎に自動で絞りを設定する方法が特許文献２に開示されている。
【先行技術文献】
【特許文献】
【０００３】
【特許文献１】特開平６−１３０４５０号公報
【特許文献２】特開平７−８４２９７号公報
【発明の概要】
【発明が解決しようとする課題】
【０００４】
しかしながら特許文献１に記載の方法においては、プログラムシフトにより一定回数以上撮影が行われると、撮影モードの既定値を変更する。そのため、プログラムシフトにより別の被写体を撮影する時には、初期設定から行う場合よりも設定の変更量が多くなることがある。また、特許文献２に記載の方法においては、Ｔｖ優先モードで、利用頻度の高い絞り値を１つ固定して設定する方法であり、被写体の情報は用いられないため、撮影モード既定の撮影設定よりも被写体に対して不適当な設定を行うことがある。
【０００５】
本発明は前述の問題点に鑑み、撮影モード毎に適した撮影設定を簡単に行うことができるようにすることを目的としている。
【課題を解決するための手段】
【０００６】
本発明の撮像装置は、被写体を撮像する撮像手段と、前記被写体の輝度を測定する輝度測定手段と、前記撮像手段の撮影に関する複数の撮影モードから１つの撮影モードを選択する選択手段と、撮影履歴情報、及び前記輝度測定手段によって測定された輝度に基づいて、前記選択手段によって選択された撮影モードに応じた推奨撮影パラメタを生成する生成手段と、前記生成手段によって生成された推奨撮影パラメタを設定する設定手段と、を備えることを特徴とする。
【発明の効果】
【０００７】
本発明によれば、撮影モード毎に適した撮影設定を簡単に行うことができる。
【図面の簡単な説明】
【０００８】
【図１】第１の実施形態に係る撮像装置のハードウェア構成例を示すブロック図である。
【図２】第１の実施形態に係る撮像装置の機能構成例を示すブロック図である。
【図３】第１の実施形態に係る撮像装置が撮影を行う処理手順の一例を示すフローチャートである。
【図４】ＡＰＥＸ単位にて同一の尺度に正規化された撮影パラメタの一例を示す図である。
【図５】第１の実施形態において、撮像装置に格納される撮影履歴情報の一例を示す図である。
【図６】パラメタ空間内の任意の部分空間における分布の傾向推定を説明する図である。
【図７】第１の実施形態において、撮影モード毎に異なる推奨撮影設定を生成する処理手順の一例を示すフローチャートである。
【図８】プログラムモードの場合の、ＡＰＥＸ空間で射影して推奨撮影設定を決定する手順を説明するための図である。
【図９】Ｔｖ優先モードの場合の、ＡＰＥＸ空間で射影して推奨撮影設定を決定する手順を説明するための図である。
【図１０】Ａｖ優先モードの場合の、ＡＰＥＸ空間で射影して推奨撮影設定を決定する手順を説明するための図である。
【図１１】第１の実施形態における各撮影モードにおいて撮影パラメタを変更する処理手順の一例を示すフローチャートである。
【図１２】第２の実施形態に係る撮影システムの構成例を示す図である。
【図１３】第２の実施形態に係る撮像装置のハードウェア構成例を示すブロック図である。
【図１４】第２の実施形態に係るサーバ装置のハードウェア構成例を示すブロック図である。
【図１５】第２の実施形態に係る撮像装置の機能構成例を示すブロック図である。
【図１６】第２の実施形態に係るサーバ装置の機能構成例を示すブロック図である。
【図１７】第２の実施形態において、サーバ装置に格納される撮影履歴情報の一例を示す図である。
【発明を実施するための形態】
【０００９】
以下、添付の図面を参照して、本発明をその好適な実施形態に基づいて詳細に説明する。なお、以下の実施形態において示す構成は一例に過ぎず、本発明は図示された構成に限定されるものではない。
【００１０】
（第１の実施形態）
以下、本発明の第１の実施形態について、図面を用いて説明する。
図１は、本実施形態に係る撮像装置１００のハードウェア構成例を示すブロック図である。本実施形態における撮像装置１００は単一の撮像装置で実現してもよいし、撮像装置を含む複数のコンピュータ装置に各機能を分散して実現するようにしてもよい。撮像装置を含む複数のコンピュータ装置で構成される場合は、互いに通信可能なようにＬｏｃａｌ  Ａｒｅａ  Ｎｅｔｗｏｒｋ（ＬＡＮ）などで接続されるようにする。
【００１１】
図１において、制御部１０１は、撮像装置１００全体を制御する制御を行う部位である。制御部１０１は、Ｃｅｎｔｒａｌ  Ｐｒｏｃｅｓｓｉｎｇ  Ｕｎｉｔ（ＣＰＵ）１０２と、外部装置などから供給されるプログラムやデータを一時記憶するＲａｎｄｏｍ  Ａｃｃｅｓｓ  Ｍｅｍｏｒｙ（ＲＡＭ）１０３とを有している。さらに、変更を必要としないプログラムやパラメタを格納するＲｅａｄ  Ｏｎｌｙ  Ｍｅｍｏｒｙ（ＲＯＭ）１０４を有している。
【００１２】
外部記憶装置１０５は、撮像装置１００に設置されたハードディスクやメモリカードなどの記憶装置であり、固定あるいは着脱可能な状態でも構わない。例えば、フレキシブルディスク（ＦＤ）やＣｏｍｐａｃｔ  Ｄｉｓｋ（ＣＤ）等の光ディスク、磁気や光カード、ＩＣカード、メモリカードなどである。
【００１３】
入力デバイスＩ／Ｆ１０６は、ユーザーの操作を受け、データを入力するポインティングデバイスやキーボードなどの入力デバイス１１１と接続するためのインターフェイスである。出力デバイスＩ／Ｆ１０７は、撮像装置１００が保持するデータや供給されたデータを表示するためのディスプレイ１１２と接続するためのインターフェイスである。
【００１４】
測光センサＩ／Ｆ１０８は、被写体の輝度を計測するモジュールである測光センサ１１３と接続するためのインターフェイスである。レンズ接続Ｉ／Ｆ１０９は、撮像装置１００に接続されたレンズ１１４の情報を取得するためのインターフェイスである。システムバス１１０は制御部１０１〜レンズ接続Ｉ／Ｆ１０９の各ユニットを通信可能に接続するためのバスである。
【００１５】
図２は、本実施形態に係る撮像装置１００の機能構成例を示すブロック図である。以下に説明する構成は論理的な構成であり、それぞれの要素を物理的に同一のまたは別個の装置で構成してもよい。例えば、測光装置にて計測した情報を撮像装置に登録することによって被写体の輝度を得るなどの形態をとってもよい。
【００１６】
図２に示すように、撮像装置１００は９つの要素から構成される。構成要素は、撮影モード設定部２０１、測光部２０２、露出制御部２０３、撮影設定調整部２０４、撮影部２０５、撮影履歴記録部２０６、推奨撮影設定判断部２０７、推奨撮影設定生成部２０８、及び推奨撮影パラメタ設定部２０９である。
【００１７】
撮影モード設定部２０１は、入力デバイスＩ／Ｆ１０６に接続される入力デバイス１１１を介して、撮像装置１００が移行可能ないくつかの撮影モードから任意の一つの撮影モードの選択を受け付ける。測光部２０２は、測光センサＩ／Ｆ１０８に接続される輝度測定手段である測光センサ１１３を介して被写体の輝度を測光し、その結果をＲＡＭ１０３に書き込む。
【００１８】
露出制御部２０３は、測光部２０２にて取得した被写体の輝度情報をＲＡＭ１０３から読み出し、ＲＯＭ１０４上に格納されている露出プログラムを用いて、撮像装置の露出が適切な値になるような撮影設定情報を生成し、ＲＡＭ１０３に書き込む。また、生成された撮影設定情報はＲＡＭ１０３から読み出され、出力デバイスＩ／Ｆ１０７を介してディスプレイ１１２に表示される。
【００１９】
撮影設定調整部２０４は、露出制御部２０３にて設定された撮影設定に対して、撮影者による入力デバイス１１１を介した変更を受け付ける。変更が受け付けられると、ＲＡＭ１０３上の撮影設定情報が上書きされる。撮影部２０５は、露出制御部２０３、撮影設定調整部２０４にて設定された撮影設定情報をＲＡＭ１０３から読み出し、該設定にて撮影を行う。撮影履歴記録部２０６は、撮影部２０５により行われた撮影時の撮影設定を撮影履歴情報として外部記憶装置１０５に記録する。
【００２０】
推奨撮影設定判断部２０７は、推奨撮影設定を生成するために十分な撮影履歴情報が外部記憶装置１０５に格納されているか否かを判断する。推奨撮影設定生成部２０８は、外部記憶装置１０５に格納された撮影履歴情報を読み出し、撮影者に対する推奨撮影設定を生成する。推奨撮影パラメタ設定部２０９は、推奨撮影設定生成部２０８が生成した情報を推奨撮影設定として撮像装置１００に設定する。
【００２１】
図３は、本実施形態に係る撮像装置１００が撮影を行う処理手順の一例を示すフローチャートである。
撮影が開始されると、撮影モード設定部２０１は、撮影者の操作に応じて複数の撮影モードから１つの撮影モードの設定を受け付ける（Ｓ３０１）。また、選択した撮影モードによっては、手動で設定する必要がある設定値を入力する。
【００２２】
ここで、撮影モードは、以下の４種類である。１つ目は、好適な露出で撮影するために関連するパラメタである感度（Ｓｖ）、シャッタースピード（Ｔｖ）、絞り（Ａｖ）が好適な露出になるように設定するプログラムモードである。２つ目は、設定されたＴｖ値に応じて好適な露出になるようにその他のパラメタが設定されるＴｖ優先モードである。３つ目は、設定されたＡｖ値に応じて好適な露出になるようにその他のパラメタが設定されるＡｖ優先モードである。４つ目は、全てのパラメタをマニュアルで設定するマニュアル撮影モードである。また、撮影モードの選択は、入力デバイス１１１を介して行われる。本実施形態では４種の撮影モードから選択するが、夜景、スポーツなどのシーン撮影のプログラムモードなどを対象としてもよい。
【００２３】
ここで、撮影パラメタのＳｖ値、Ｔｖ値、Ａｖ値は、図４に示すように、ＡＰＥＸ単位にて、同一の尺度に正規化されているものとする。なお、ＡＰＥＸは、露出を簡易に計算するために、絞り値、シャッタースピードに対してそれぞれＡｖ値、Ｔｖ値という数値を対応させて計算する方法である。各撮影パラメタＥｖ、Ｂｖ、Ｓｖ、Ｔｖ、Ａｖと露出（Ｅｖ）との関係は以下の式（１）及び式（２）であらわされる。
【００２４】
【数１】
2014052426.tif 000003
【００２５】
Ｓ３０１にて撮影モードが設定されたのち、測光部２０２は、被写体の輝度（Ｂｖ）を計測する（Ｓ３０２）。このとき、被写体の輝度の計測は、測光センサ１１３を介して行われる。本実施形態では、露出（Ｅｖ）は被写体の測光により一意に決まるものとするが、撮影者が任意に露出補正を行い、露出を調整してもよい。
【００２６】
次に、推奨撮影設定判断部２０７は、Ｓ３０１にて設定した撮影モードと、Ｓ３０２にて測定した被写体の輝度とに基づいて、過去の撮影履歴情報から撮影者に推奨する撮影設定が生成できるか否か判断する（Ｓ３０３）。過去の撮影を行った際の撮影モードと、Ｂｖ値、Ｓｖ値、Ｔｖ値、Ａｖ値からなる撮影履歴情報は、外部記憶装置１０５に格納されている。撮影履歴情報の一例については、図５に示す。本実施形態では、撮影モードとＢｖ値、Ａｖ値、Ｔｖ値、Ｓｖ値を撮影履歴情報としているが、レンズ情報としてレンズの識別子、レンズの上限または下限のＦ値、焦点距離の情報なども更に撮影履歴情報として加えてもよい。また、露出補正値を撮影履歴情報として加えてもよい。
【００２７】
以下、Ｓ３０３の処理について詳細に説明する。先ず、Ｓ３０１で設定した撮影モードとＳ３０２にて測定した被写体の輝度とに合致する撮影履歴群を、外部記憶装置１０５に格納された撮影履歴情報から抽出する。本実施形態では、被写体の輝度に合致する履歴を抽出するものとするが、撮影履歴情報の中の他の情報を用いて更に絞り込んで抽出を行ってもよい。
【００２８】
次に、これらの撮影履歴群のＡｖ値、Ｔｖ値、Ｓｖ値を軸とするパラメタ空間内の任意の部分空間における分布の傾向推定を行い、傾向を示した場合には推奨撮影設定を生成できるものとする。本実施形態では、撮影履歴群の分布が正規分布に従うか否かを判断基準としている。ＡＰＥＸ空間における変数ベクトルをｘ＝［ａｖ，ｔｖ，ｓｖ］とし、対象空間の次元数をｐ、平均ベクトルをμとすると、正規分布は以下の式（３）によりあらわされる。
【００２９】
【数２】
2014052426.tif 000004
【００３０】
正規分布に対して、図６に示すように、任意の撮影モードと被写体の輝度とにより抽出される撮影履歴情報を用いて最少二乗法による検定を行う。そして、撮影履歴が一定数以上存在し、更に正規分布に従う場合には推奨設定を生成することが可能だと判断する。本実施形態では正規分布を用いているが、その他のモデルを用いてもよいし、最少二乗法以外の推定法を用いてもよい。また、モデルの当てはめでなく、撮影履歴情報をクラスタリングして有意なクラスタの中心を選択して用いるなどの手法を取ってもよい。
【００３１】
Ｓ３０３の判断の結果、推奨撮影設定が利用できない場合には、撮影設定調整部２０４は、設定されている撮影モードに従って、被写体の輝度に適した撮影パラメタを撮像装置１００に設定する（Ｓ３０４）。
【００３２】
一方、Ｓ３０３の判断の結果、推奨撮影設定が利用できる場合には、推奨撮影設定生成部２０８は、推奨撮影設定を生成する（Ｓ３０５）。このとき、推奨撮影設定生成部２０８は、Ｓ３０１にて選択された撮影モードと、Ｓ３０２にて測定された被写体の輝度（Ｂｖ）と、撮影履歴記録部２０６に格納された撮影履歴情報とに基づいて、推奨撮影設定を生成する。推奨撮影設定は、撮影モード毎に異なる形で生成される。
【００３３】
図７は、図３のＳ３０５において、推奨撮影設定生成部２０８が撮影モード毎に異なる推奨撮影設定を生成する処理手順の一例を示すフローチャートである。
まず、撮影モードが前述したプログラムモードであるか否かを判断する（Ｓ７０１）。この判断の結果、プログラムモードでない場合はＳ７０３へ進み、プログラムモードである場合はＳ７０２に進む。そして、以下に説明する分布の中央値を推奨撮影設定とする（Ｓ７０２）。
【００３４】
プログラムモードでは、撮影設定を変更する際には、任意の被写体の輝度（Ｂｖ）に対して上記式（１）を満たすようにＡｖ値、Ｔｖ値、Ｓｖ値が連動して変化する拘束がある。Ｓ３０２にて測定された被写体の輝度からＢｖ＝ａ（一定）とすると、式（１）はａ＝Ａｖ＋Ｔｖ−Ｓｖとなり、平面の式として表される。このため、図８に示すように、推奨撮影設定を生成する時には、任意の被写体の輝度（Ｂｖ）に合致する撮影履歴情報を抽出し、輝度（Ｂｖ）を被写体の輝度とした時のＡＰＥＸ空間にて、Ａｖ値、Ｔｖ値、Ｓｖ値がなす平面へと射影する。本平面上にて上述した傾向推定を行い、分布の中心を推奨撮影設定として用いる。
【００３５】
一方、Ｓ７０３においては、撮影モードが前述したＴｖ優先モードであるか否かを判断する。この判断の結果、Ｔｖ優先モードでない場合はＳ７０５へ進み、Ｔｖ優先モードである場合はＳ７０４に進む。そして、以下に説明するように分布の中央値を推奨撮影設定とする（Ｓ７０４）。
【００３６】
Ｔｖ優先モードでは、撮影設定を調整する際には、任意の被写体の輝度（Ｂｖ）、設定されているＴｖ値に対して上記式（１）を満たすようにＡｖ値、Ｓｖ値が連動して変化する拘束がある。Ｓ３０２にて測定された被写体の輝度からＢｖ＝ａ（一定）とし、撮影者が設定したＴｖ値をｂ（一定）とすると、式（１）はａ＝Ａｖ＋ｂ−Ｓｖとなり、直線の式として表される。このため、図９に示すように、任意の被写体の輝度（Ｂｖ）と設定されているＴｖ値とに合致する撮影履歴を抽出し、輝度（Ｂｖ）を被写体の輝度とし、設定されたＴｖ値とした時のパラメタ空間にてＡｖ値、Ｓｖ値がなす直線へと射影する。本直線上にて上述した傾向推定を行い、分布の中心を推奨撮影設定として用いる。
【００３７】
一方、Ｓ７０５においては、撮影モードが前述したＡｖ優先モードであるか否かを判断する。この判断の結果、Ａｖ優先モードでない場合はＳ７０７へ進み、Ａｖ優先モードである場合はＳ７０６に進む。そして、以下に説明するように分布の中央値を推奨撮影設定とする（Ｓ７０６）。
【００３８】
Ａｖ優先モードでは、撮影設定を調整する際には、任意の被写体の輝度（Ｂｖ）、設定されているＡｖ値に対して上記式（１）を満たすようにＴｖ値、Ｓｖ値が連動して変化する拘束がある。Ｓ３０２にて測定された被写体の輝度からＢｖ＝ａ（一定）とし、撮影者が設定したＡｖ値をｂ（一定）とすると、式（１）はａ＝ｂ＋Ｔｖ−Ｓｖとなり、直線の式として表される。このため、図１０に示すように、任意の被写体の輝度（Ｂｖ）と設定されているＡｖ値とに合致する撮影履歴を抽出し、輝度（Ｂｖ）を被写体の輝度とし、設定されたＡｖ値とした時のパラメタ空間にてＴｖ値、Ｓｖ値がなす直線へと射影する。本直線上にて上述した傾向推定を行い、分布の中心を推奨撮影設定として用いる。
【００３９】
Ｓ７０５の判断の結果、Ａｖ優先モードでない場合は、撮影モードはマニュアルモードであるため、以下に説明するように分布の中央値を推奨撮影設定とする（Ｓ７０７）。
【００４０】
マニュアル撮影モードでは、撮影設定を調整する際には、上記式（１）の拘束に関わらず、Ａｖ値、Ｔｖ値、Ｓｖ値を任意に設定することができる。このため、推奨撮影設定の生成時には、マニュアル撮影の撮影履歴情報をＡＰＥＸ空間にてＡｖ値、Ｔｖ値、Ｓｖ値がなす３次元空間へと射影する。そして、本空間上にて上述した傾向推定を行い、分布の中心を推奨撮影設定として設定する。また、すでにＡｖ値、Ｔｖ値、Ｓｖ値の任意のパラメタが設定されている場合には、その条件も撮影履歴情報からの抽出条件に加えた後に、ＡＰＥＸ空間への射影と傾向推定を行う。
【００４１】
ここで、Ｔｖ優先モードではＴｖ値を撮影者が設定し、Ａｖ優先モードではＡｖ値を撮影者が設定するものとしているが、一定以上の傾向がみられる場合にはそれぞれの値を撮像装置１００側で設定するなどしてもよい。
【００４２】
図３の説明に戻り、次に、撮像装置１００に設定された撮影設定に対して、必要に応じて推奨撮影パラメタ設定部２０９は、撮影パラメタを推奨撮影設定に変更する（Ｓ３０６）。この時、調整可能なパラメタは、撮影モード毎に規定される。
【００４３】
図１１は、推奨撮影パラメタ設定部２０９が各撮影モードにおいて撮影パラメタを変更する処理手順の一例を示すフローチャートである。
まず、まず、撮影モードが前述したプログラムモードであるか否かを判断する（Ｓ１１０１）。この判断の結果、プログラムモードでない場合はＳ１１０３へ進み、プログラムモードである場合はＳ１１０２に進む。そして、プログラムモードにおけるＴｖ値、Ａｖ値、Ｓｖ値を、任意のパラメタの調整に対して輝度（Ｂｖ）を一意に保つように互いに連動して変更する（Ｓ１１０２）。
【００４４】
一方、Ｓ１１０３においては、撮影モードが前述したＴｖ優先モードであるか否かを判断する。この判断の結果、Ｔｖ優先モードでない場合はＳ１１０５へ進み、Ｔｖ優先モードである場合はＳ１１０４に進む。そして、Ｔｖ優先モードにおいて撮影者に設定されたＴｖ値に対して、輝度（Ｂｖ）を一意に保つようにＳｖ値、Ａｖ値を連動して変更する（Ｓ１１０４）。
【００４５】
一方、Ｓ１１０５においては、撮影モードが前述したＡｖ優先モードであるか否かを判断する。この判断の結果、Ａｖ優先モードでない場合（マニュアル撮影モードである場合）はＳ１１０７へ進み、Ａｖ優先モードである場合はＳ１１０６に進む。そして、Ａｖ優先モードにおいて撮影者に設定されたＡｖ値に対して、輝度（Ｂｖ）を一意に保つようにＳｖ値、Ｔｖ値を連動して変更する（Ｓ１１０６）。一方、Ｓ１１０７においては、マニュアル撮影モードにおいて撮影者により指定された全てのパラメタを設定する（Ｓ１１０７）。
【００４６】
図３の説明に戻り、次に、Ｓ３０４またはＳ３０６にて設定した撮影パラメタにより、撮影部２０５は撮影を行う（Ｓ３０７）。そして、Ｓ３０７にて撮影が行われると、画像データを外部記憶装置１０５に記録するとともに、撮影時の撮影履歴情報が撮影履歴記録部２０６により記録される（Ｓ３０８）。
【００４７】
本実施形態では、撮影時に推奨撮影設定が必ず用いられることとしたが、オートブラケット撮影のように既定の撮影設定と推奨撮影設定とを切り替えて撮影を行う形で補助を行ってもよい。また、撮影前に推奨撮影設定を用いるか否かを選択させる通知をディスプレイ１１２に表示するなどしてもよい。さらに、推奨撮影設定で設定された設定値に対して微調整を行ってもよい。
【００４８】
以上のように本実施形態によれば、過去の撮影履歴情報に基づいて撮影モード毎に推奨撮影パラメタを生成するようにしたので、撮影モード毎に適した撮影設定を簡単に行うことができる。
【００４９】
（第２の実施形態）
以下、本発明の第２の実施形態について、図面を用いて説明する。
図１２は、本実施形態に係る撮影システムの構成例を示す図である。本実施形態においては、複数の撮像装置１２０１がネットワーク１２０３を経由して撮影履歴情報をサーバ装置１２０２に送信し、サーバ装置１２０２で撮影履歴情報を保管している。
【００５０】
図１３は、本実施形態に係る撮像装置１２０１のハードウェア構成例を示すブロック図である。本実施形態における撮像装置１２０１は第１の実施形態と同様に単一の撮像装置で実現してもよいし、撮像装置を含む複数のコンピュータ装置に各機能を分散して実現するようにしてもよい。また、図１３において、図１に示した撮像装置１００と同一の構成について同じ符号を付しており、これらの構成は第１の実施形態と同様であるため、説明は省略する。
【００５１】
図１３において、ネットワークＩ／Ｆ１３０１は、ネットワーク１２０３を介して外部と接続するためのインターフェイスである。
【００５２】
図１４は、本実施形態に係るサーバ装置１２０２のハードウェア構成例を示すブロック図である。本実施形態におけるサーバ装置１２０２も同様に単一の装置で実現してもよいし、サーバ装置を含む複数のコンピュータ装置に各機能を分散して実現するようにしてもよい。
図１４において、制御部１４０１は、サーバ装置１２０２全体を制御する制御を行う部位である。制御部１４０１は、ＣＰＵ１４０２と、外部装置などから供給されるプログラムやデータを一時記憶するＲＡＭ１４０３と、変更を必要としないプログラムやパラメタを格納するＲＯＭ１４０４とを有している。
【００５３】
外部記憶装置１４０５は、サーバ装置１２０２に設置されたハードディスクやメモリカードなどの記憶装置であり、固定あるいは着脱可能な状態でも構わない。例えば、ＦＤやＣＤ等の光ディスク、磁気や光カード、ＩＣカード、メモリカードなどである。ネットワークＩ／Ｆ１４０７はネットワーク１２０３を介して外部と接続するためのインターフェイスである。システムバス１４０６はこれらの各ユニットを通信可能に接続するためのバスである。
【００５４】
図１５は、本実施形態に係る撮像装置１２０１の機能構成例を示すブロック図である。なお、図２に示した撮像装置１００と同一の構成について同じ符号を付しており、これらの構成は第１の実施形態と同様であるため、説明は省略する。
【００５５】
図１５において、撮影履歴要求部１５０１は、ネットワークＩ／Ｆ１３０１からネットワーク１２０３を介してサーバ装置１２０２に接続し、サーバ装置１２０２に条件が合う撮影履歴情報を問い合わせる。撮影履歴受信部１５０２は、サーバ装置１２０２から撮影履歴情報を受信する。撮影履歴送信部１５０３は、サーバ装置１２０２へ撮影履歴情報を送信する。
【００５６】
図１６は、本実施形態に係るサーバ装置１２０２の機能構成例を示すブロック図である。
図１６に示すように、サーバ装置１２０２は４つの要素から構成される。構成要素は、履歴要求受信部１６０１、撮影履歴記録部１６０２、撮影履歴送信部１６０３、及び撮影履歴受信部１６０４である。
【００５７】
履歴要求受信部１６０１は、ネットワークＩ／Ｆ１４０７からネットワーク１２０３を介して、撮像装置１２０１からの撮影履歴情報の問い合わせを受け付ける。撮影履歴記録部１６０２は、撮像装置１２０１から受信した撮影履歴情報を外部記憶装置１４０５に記録する。撮影履歴送信部１６０３は、撮像装置１２０１に要求された撮影履歴情報を外部記憶装置１４０５から読み出し、撮像装置１２０１に送信する。撮影履歴受信部１６０４は、撮像装置１２０１から撮影履歴情報を受信する。
【００５８】
本実施形態の撮影システムにおいて行われる主な処理は、撮影履歴情報の取得、撮影履歴情報に基づく推奨撮影設定の生成、及び撮影履歴情報の蓄積である。これらの処理について以下に説明する。
【００５９】
条件が合う撮影履歴情報を撮像装置１２０１がサーバ装置１２０２から取得する処理については、先ず、撮像装置１２０１の撮影モード設定部２０１にて撮影モードを設定する。次に、測光部２０２にて被写体の輝度（Ｂｖ）を取得する。被写体の輝度を計測した後に、撮影モードと被写体の輝度とを条件として、サーバ装置１２０２に問い合わせを行う。選択された撮影モードがプログラムモードである場合には、撮像装置１２０１の撮影履歴要求部１５０１にて被写体の輝度（Ｂｖ）と撮影モードとをもとにサーバ装置１２０２に条件が合う撮影履歴情報を問い合わせる。
【００６０】
撮影モードがＴｖ優先モードの場合には、被写体の輝度（Ｂｖ）、シャッタースピードＴｖと撮影モードとをもとに撮影履歴情報を問い合わせる。撮影モードがＡｖ優先モードの場合には、被写体の輝度（Ｂｖ）と絞りＡｖと撮影モードとをもとに撮影履歴情報を問い合わせる。撮影モードがマニュアルモードの場合には、被写体の輝度（Ｂｖ）と撮影モードとをもとに撮影履歴情報を問い合わせる。
【００６１】
サーバ装置１２０２の履歴要求受信部１６０１が撮像装置１２０１からの撮影履歴情報の問い合わせを受信すると、サーバ装置１２０２の撮影履歴記録部１６０２は、問い合わせた条件と合う撮影履歴情報を外部記憶装置１４０５から抽出する。そして、サーバ装置１２０２の撮影履歴送信部１６０３は、抽出した撮影履歴情報を撮像装置１２０１に送信する。サーバ装置１２０２が送信した撮影履歴情報を撮像装置１２０１の撮影履歴受信部１５０２が受信すると、撮像装置１２０１の撮影履歴記録部２０６は、撮影履歴情報を外部記憶装置１０５に格納する。図１７には、撮影履歴情報の一例を示す。本実施形態では、各撮影モードにて、Ｂｖ、Ａｖ、Ｔｖ、Ｓｖを履歴抽出の条件としているが、更に、レンズの識別情報、レンズの上限または下限Ｆ値、カメラＩＤ、ユーザーＩＤ、カテゴリなどを用いて条件を絞り込んでもよい。
【００６２】
取得した撮影履歴情報をもとに推奨撮影設定を生成する処理については、撮像装置１２０１の撮影履歴記録部２０６により保管された撮影履歴情報から推奨撮影設定を生成し、推奨撮影パラメタとして設定する。推奨撮影設定の生成と、推奨撮影パラメタの設定とについては、第１の実施形態と同様である。
【００６３】
撮影履歴情報を蓄積する処理については、推奨撮影設定にて設定した撮影設定により撮像装置１２０１の撮影部２０５にて撮影を行う。撮影が行われると、撮像装置１２０１の撮影履歴送信部１５０３は、サーバ装置１２０２に撮影時の設定情報を送信する。撮像装置１２０１が送信した設定情報を、サーバ装置１２０２の撮影履歴受信部１６０４が受信すると、サーバ装置１２０２の撮影履歴記録部１６０２は、撮影履歴情報として外部記憶装置１４０５に記録する。
【００６４】
以上のように本実施形態によれば、サーバ装置に蓄積されている過去の撮影履歴情報に基づいて撮影モード毎に推奨撮影パラメタを生成するようにしたので、撮影モード毎に適した撮影設定を簡単に行うことができる。
【００６５】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６６】
２０１  撮影モード設定部
２０２  測光部
２０３  露出制御部
２０４  撮影設定調整部
２０５  撮影部
２０６  撮影履歴記録部
２０７  推奨撮影設定判定部
２０８  推奨撮影設定生成部
２０９  推奨撮影パラメタ設定部
【図１】
2014052426.tif 000005
【図２】
2014052426.tif 000006
【図３】
2014052426.tif 000007
【図４】
2014052426.tif 000008
【図５】
2014052426.tif 000009
【図６】
2014052426.tif 000010
【図７】
2014052426.tif 000011
【図８】
2014052426.tif 000012
【図９】
2014052426.tif 000013
【図１０】
2014052426.tif 000014
【図１１】
2014052426.tif 000015
【図１２】
2014052426.tif 000016
【図１３】
2014052426.tif 000017
【図１４】
2014052426.tif 000018
【図１５】
2014052426.tif 000019
【図１６】
2014052426.tif 000020
【図１７】
2014052426.tif 000021